(57)【要約】【課題】操作ボタンの操作方向と異なる方向に向かって固定部材を係合させることによって筐体の内面に操作ボタンを取り付ける場合に、筐体と操作ボタンとの間でビビリ音が生じることのない電子機器の操作ボタン取付構造および操作ボタン取付方法を提供する。【解決手段】連結部８１を介してスピーカ保持部材８０と連結されたボタン支持部６２をネジ６３で筐体３０の内面に固定することで、フランジ部６１ａを開口部３０ａの縁部に当接させるようにしている。【選択図】図５
2012252944.tif 000002
【特許請求の範囲】
【請求項１】
筐体の所定の面に設けられた開口部に取り付けられ、開口部に位置する部分を押下操作可能な操作ボタンを備えた電子機器の操作ボタン取付構造であって、
操作ボタンは、外周部にフランジ部が設けられたボタン本体と、ボタン本体を押下操作の方向に移動可能に支持するように筐体の内面に固定されるボタン支持部と、を有し、
固定部材によってボタン支持部を筐体の内面に固定することに応じて、ボタン本体のフランジ部を筐体内の開口部の縁部に当接させる当接手段が設けられている
ことを特徴とする電子機器の操作ボタン取付構造。
【請求項２】
前記当接手段は、筐体の内部のボタン支持部が接触する部分に筐体の開口部側に向かって下り傾斜となるように設けられ、ボタン支持部が摺動可能な傾斜面と、ボタン支持部材に固定部材が貫通するように設けられ、固定部材の筐体に係合する部分の外径寸法よりも大きい内径寸法に形成された貫通孔と、を有している
ことを特徴とする請求項１記載の電子機器の操作ボタン取付構造。
【請求項３】
前記当接手段は、開口部の縁部に当接するフランジ部の面と筐体の内部に接触するボタン保持部の面とのなす角度が、筐体の内部のボタン支持部が接触する面と開口部が設けられた筐体の所定の面とのなす角度よりも大きくなるように操作ボタンを形成することにより構成されている
ことを特徴とする請求項１記載の電子機器の操作ボタン取付構造。
【請求項４】
ボタン支持部は、変形可能な連結部を介して筐体内に取り付けられる他の部品と連結されている
ことを特徴とする請求項１乃至３のいずれかに記載の電子機器の操作ボタンの取付構造。
【請求項５】
筐体内には、ボタン本体の押下操作によって操作される所定の機能を発揮させるためのスイッチが設けられ、
操作ボタンには、押下操作時にボタン本体に作用する力によって少なくとも一部が弾性変形可能であり、弾性変形の反発力によってスイッチを操作する操作片が設けられ、
筐体には、ボタン本体の所定範囲以上の押下操作を規制する規制部が設けられている
ことを特徴とする請求項１乃至４のいずれかに記載の電子機器の操作ボタン取付構造。
【請求項６】
筐体の所定の面に設けられた開口部に、開口部に位置する部分を押下操作可能な操作ボタンを取り付ける電子機器の操作ボタン取付方法であって、
操作ボタンは、外周部にフランジ部が設けられたボタン本体と、ボタン本体を押下操作の方向に移動可能に支持するとともに、ボタン本体の押下操作の方向と異なる方向に固定部材を係合させることで筐体の内面に固定されるボタン支持部と、を有し、
固定部材によってボタン支持部を筐体の内面に固定することで、ボタン本体のフランジ部を筐体内の開口部の縁部に当接させる
ことを特徴とする電子機器の操作ボタン取付方法。
【請求項７】
筐体の開口部に前記筐体の内部から取り付けられ、前記開口部に位置するボタン部を押下操作可能な操作ボタンを備えた電子機器の操作ボタン取付構造であって、
前記ボタン部の外周部に設けられたフランジ部と、
前記操作ボタンを押下操作の方向に移動可能に前記筐体の内部の取付箇所に固定させるボタン支持部と、を有し、
前記取付箇所には、前記ボタン支持部の前記取付箇所への取り付けに応じて、前記フランジ部が前記開口部の周囲に当接させる当接手段が設けられている
ことを特徴とする電子機器の操作ボタン取付構造。
【請求項８】
前記当接手段は、前記取付箇所に前記ボタン支持部が押し付けられた際に、前記フランジ部が前記開口部の周囲に近接するように形成された、前記取付箇所または前記ボタン支持部の傾斜部である
ことを特徴とする請求項７に記載の電子機器の操作ボタン取付構造。
【発明の詳細な説明】
【技術分野】
【０００１】
本発明は、例えば通信機器等の電子機器の操作ボタン取付構造および操作ボタン取付方法に関する。
【背景技術】
【０００２】
トランシーバや携帯電話等の電子機器としての通信機器には、筐体の内部にスピーカ等の振動が発生する部品が設けられている。また、通信機器は、筐体に設けられた開口部に通信の操作に用いられる操作ボタンが取り付けられている。
前記通信機器では、スピーカによって生じる振動が、筐体および操作ボタンにそれぞれ伝わり、筐体および操作ボタンがそれぞれ振動することに起因して生じる所謂ビビリ音が発生するという問題点がある。
【０００３】
筐体と操作ボタンとの間で発生するビビリ音の発生を防止するために、従来の電子機器の操作ボタンの取付構造では、筐体内の開口部の縁部と操作ボタンのフランジ部との間にパッキンを介挿し、筐体と操作ボタンとの隙間を無くすようにしていた（例えば、特許文献１参照）。
【０００４】
前記操作ボタンの取付構造では、別部材としてパッキンを組付ける必要があり、組付け工数が多くなる。また、前記操作ボタンの取付構造では、パッキンの一部が筐体の開口部から突出した場合に見栄えが悪くなる。
【０００５】
このため、パッキンを用いることなく筐体と操作ボタンとの間におけるビビリ音の発生を防止可能な操作ボタンの取付構造としては、筐体の開口部の縁部に操作ボタンのフランジ部を当接させることによって筐体と操作ボタンとの隙間を無くすようにしている。
【先行技術文献】
【特許文献】
【０００６】
【特許文献１】特開２００４−８７３２９号公報
【発明の概要】
【発明が解決しようとする課題】
【０００７】
前記操作ボタンの取付構造では、操作ボタンの操作方向に筐体を押し付けながら筐体を組付けることで、筐体と操作ボタンとの隙間を無くすことが可能である。しかし、例えば、操作方向と直交する方向に向かって固定部材を係合させることによって筐体内に操作ボタンを取り付ける場合等、操作ボタンの操作方向と異なる方向に向かって固定部材を係合させることによって筐体の内面に操作ボタンを取り付ける場合には、操作ボタンのフランジ部を筐体の開口部の縁部に当接させることができない。
【０００８】
本発明は、上述した事情に鑑みてなされたものであり、上述のような問題を解決することを課題の一例とするものであり、これらの課題を解決することができる電子機器の操作ボタン取付構造および操作ボタン取付方法を提供することを目的とする。
【課題を解決するための手段】
【０００９】
上記課題を解決するために、請求項１記載の発明に係る電子機器の操作ボタン取付構造は、筐体の所定の面に設けられた開口部に取り付けられ、開口部に位置する部分を押下操作可能な操作ボタンを備えた電子機器の操作ボタン取付構造であって、操作ボタンは、外周部にフランジ部が設けられたボタン本体と、ボタン本体を押下操作の方向に移動可能に支持するように筐体の内面に固定されるボタン支持部と、を有し、固定部材によってボタン支持部を筐体の内面に固定することに応じて、ボタン本体のフランジ部を筐体内の開口部の縁部に当接させる当接手段が設けられていることを特徴とする。
また、請求項６記載の発明に係る電子機器の操作ボタン取付方法は、筐体の所定の面に設けられた開口部に、開口部に位置する部分を押下操作可能な操作ボタンを取り付ける電子機器の操作ボタン取付方法であって、操作ボタンは、外周部にフランジ部が設けられたボタン本体と、ボタン本体を押下操作の方向に移動可能に支持するとともに、ボタン本体の押下操作の方向と異なる方向に固定部材を係合させることで筐体の内面に固定されるボタン支持部と、を有し、固定部材によってボタン支持部を筐体の内面に固定することで、ボタン本体のフランジ部を筐体内の開口部の縁部に当接させることを特徴とする。
また、請求項７記載の発明に係る電子機器の操作ボタン取付構造は、筐体の開口部に前記筐体の内部から取り付けられ、前記開口部に位置するボタン部を押下操作可能な操作ボタンを備えた電子機器の操作ボタン取付構造であって、前記ボタン部の外周部に設けられたフランジ部と、前記操作ボタンを押下操作の方向に移動可能に前記筐体の内部の取付箇所に固定させるボタン支持部と、を有し、前記取付箇所には、前記ボタン支持部の前記取付箇所への取り付けに応じて、前記フランジ部が前記開口部の周囲に当接させる当接手段が設けられていることを特徴とする。
【図面の簡単な説明】
【００１０】
【図１】本発明の第１実施形態を示す音声モニタ装置の概略構成図である。
【図２】移動機の断面図である。
【図３】第２筐体、スピーカ、第２操作ボタンおよびスピーカ保持部材の分解斜視図である。
【図４】第２筐体に対して、第２操作ボタンを固定することなくスピーカ保持部材のみを固定した状態を示す断面図である。
【図５】第２筐体に対して、第２操作ボタンを固定した状態を示す要部断面図である。
【図６】本発明の第２実施形態を示す第２筐体に対して、第２操作ボタンを固定することなくスピーカ保持部材のみを固定した状態を示す断面図である。
【図７】第２操作ボタンを固定した状態を示す要部断面図である。
【発明を実施するための形態】
【００１１】
＜第１実施形態＞
図１乃至図５は、本発明の第１実施形態を示すものである。本実施形態では、本発明の操作ボタン取付構造を適用した電子機器の一例として、例えば保護者や介護者が、保護者や介護者とは別室に滞在している乳幼児や被介護者を音声で監視するための音声モニタ装置を説明する。
【００１２】
この音声モニタ装置は、図１に示すように、乳幼児や被介護者の滞在している室内に設置される主装置１０と、保護者や介護者が持ち運び可能に設けられた移動機２０と、からなる。
【００１３】
主装置１０は、筐体１１内に乳幼児や被介護者の音声が入力されるマイクロフォン（図示せず）が設けられている。また、主装置１０は、移動機２０側からの音声信号を出力するためのスピーカ（図示せず）が設けられている。
【００１４】
移動機２０は、図１に示すように、外周側を覆う筐体３０と、筐体３０の前面側に設けられ、動作設定の内容や時刻等の情報を表示するためのディスプレイ４０と、ディスプレイ４０の下方に位置する筐体３０の前面側に設けられ、各機能の操作および動作設定を行うための複数の第１操作ボタン５０と、筐体３０の側面に設けられ、移動機２０側から主装置１０側に向かって音声信号を送信する際に操作する第２操作ボタン６０と、を備えている。
【００１５】
筐体３０は、図２に示すように、正面側を覆う第１筐体３１と背面側を覆う第２筐体３２とから構成されている。筐体３０の側面に位置する第１筐体３１と第２筐体３２との間には、第２操作ボタン６０を押下動作可能に取り付けるための開口部３０ａが形成されている。第１筐体３１および第２筐体３２の開口部３０ａの縁部には、第２操作ボタン６０の押下操作時に第２操作ボタン６０の後述するボタン本体のフランジ部を接触させることで、ボタン本体の所定範囲以上の移動を規制するための規制部３０ｂが設けられている。
【００１６】
筐体３０内には、図２および図３に示すように、第２筐体３２側に設けられ、主装置１０側からの音声信号を出力するためのスピーカ７０と、スピーカ７０の前面側に設けられ、スピーカ７０を第２筐体３２側に保持するためのスピーカ保持部材８０と、スピーカ保持部材８０の前面側に設けられ、電子回路が構成された基板９０と、主装置１０側に送信する音声信号が入力されるマイクロフォン（図示せず）と、が設けられている。
【００１７】
第２操作ボタン６０は、筐体３０の開口部３０ａから外部に露出するボタン本体６１と、ボタン本体６１を筐体３０の幅方向（押下操作方向）に移動自在に支持するとともに、第２筐体３２に固定されるボタン支持部６２と、を有している。
【００１８】
ボタン本体６１は、略円形状に形成され、外周部に外側に延びるフランジ部６１ａが設けられている。また、ボタン本体６１には、ボタン本体６１の筐体３０内側の面から間隔をおいて上下方向に延びるように設けられ、ボタン本体６１の押下操作によって基板９０上に配置されたプッシュスイッチ９１を操作する操作片６１ｂが設けられている。操作片６１ｂは、下端側がボタン本体６１の下部側に弾性変形可能なばね部６１ｃに支持され、ボタン本体６１と一体に形成されている。
【００１９】
ボタン支持部６２には、ネジ６３をボタン本体６１の操作方向に対して直交する方向である前後方向に貫通させるネジ貫通孔６２ａが設けられている。ボタン支持部６２は、固定部材としてのネジ６３を前面側からネジ貫通孔６２ａに通して第２筐体３２の内面に設けられた前後方向に延びるネジ孔３２ａに螺合させることにより、第２筐体３２に固定される。ネジ貫通孔６２ａの内径は、ネジ６３に対してボタン支持部６２が所定範囲内で第２筐体３２の幅方向に移動可能なように、ネジ６３のネジ頭以外の部分の外径よりも大きく形成されている。
【００２０】
ネジ孔３２ａの外周部には、図４に示すように、第２筐体３２の幅方向外側に向かって下り傾斜となる傾斜面３２ｂが設けられている。また、ボタン支持部６２の傾斜面３２ｂ側の面には、傾斜面３２ｂ上を摺動可能に設けられ、第２筐体３２の幅方向外側に向かって後側に斜めに延びる接触面６２ｂが設けられている。
【００２１】
第２操作ボタン６０およびスピーカ保持部材８０は、弾性を有する合成樹脂材料によって一体に形成されている。第２操作ボタン６０のボタン支持部６２とスピーカ保持部材８０との間には、ボタン支持部６２およびスピーカ保持部材８０をそれぞれ所定位置に配置可能とする弾性変形可能な連結部８１が設けられている。スピーカ保持部材８０は、４本のネジ８２を第２筐体３２の内面に設けられたネジ孔３２ｃに螺合させることによって取り付けられる。
【００２２】
スピーカ保持部材８０と一体に設けられた第２操作ボタン６０は、図４に示すように、スピーカ保持部材８０を第２筐体３２に位置決めした状態において、最終的に固定される位置よりも第２筐体３２の幅方向のやや内側に位置している。この状態で、ボタン支持部６２のネジ貫通孔６２ａにネジ６３を通してネジ孔３２ａに螺合させると、ネジ６３のネジ頭がボタン支持部６２に接触して傾斜面３２ｃと接触面６２ｂとが接触し、ネジ６３をねじ込むに従って、傾斜面３２ｃに沿ってボタン支持部６２が第２筐体３２の幅方向外側に移動する。これにより、第２操作ボタン６０は、図５に示すように、ボタン本体６１のフランジ部６１ａが筐体３０内面の開口部３０ａの縁部に当接した状態で位置決めされる。
【００２３】
以上のように構成された音声モニタ装置において、移動機２０の第２操作ボタン６０は、ボタン本体６１が筐体３０内面の開口部３０ａの縁部に当接した状態で保持される。このため、筐体３０内のスピーカ７０から筐体３０に振動が伝わる場合においても、筐体３０と第２操作ボタン６０との間においてビビリ音が発生することはない。
【００２４】
また、使用者によって第２操作ボタン６０が操作される場合には、ボタン本体６１が押下されると、フランジ部６１ａが規制部３０ｂに接触することによってボタン本体６１の所定範囲以上のボタン本体６１の移動が規制される。また、ボタン本体６１が押下されると、ボタン本体６１の幅方向内側に設けられた操作片６１ｂによってプッシュスイッチ９１が押下操作される。このとき、操作片６１ｂは、ばね部６１ｃを介してボタン本体６１と一体に設けられていることから、プッシュスイッチ９１には弾性変形したばね部６１ｃの反発力のみが作用する。また、ボタン本体６１は、規制部３０ｂによって所定距離以上の押下方向の移動が規制されるため、ボタン本体６１が操作片６１ｂの上端側に接触することはなく、ボタン本体６１に作用する力が直接的にプッシュスイッチ９１に伝わることはない。
【００２５】
このように、本実施形態の電子機器の操作ボタン取付構造によれば、ボタン支持部６２をネジ６３で筐体３０の内面に固定することで、フランジ部６１ａを開口部３０ａの縁部に当接させるようにしている。したがって、第２操作ボタン６０の押下操作する方向と異なる方向にネジ６３を螺合させて第２操作ボタン６０を筐体３０に取り付ける場合においても筐体３０と第２操作ボタン６０との間に生じるビビリ音を防ぐことが可能となる。
【００２６】
また、筐体３０の開口部３０ａ側に向かってボタン支持部６２が摺動可能な傾斜面３２ｃを形成するとともに、ボタン支持部６２にネジ６３の外径寸法よりも大きい内径寸法を有するネジ貫通孔６２ａを形成することで、フランジ部６１ａを開口部３０ａの縁部に当接させるようにしている。これにより、ネジ６３をネジ孔３２ａに螺合させることによって、ボタン支持部６２を開口部３０ａ側に移動させ、ボタン本体６１を開口部３０ａ側に移動させることができるので、フランジ部６１ａを確実に筐体３０の内面に当接させることが可能となる。
【００２７】
また、ボタン支持部６２は、変形可能な連結部８１を介して筐体３０内に取り付けられるスピーカ保持部材８０と連結されている。これにより、第２操作ボタン６０とスピーカ保持部材８０とを一部品として取り扱うことが可能となり、組付け工数の低減を図ることが可能となる。
【００２８】
また、第２操作ボタン６０には、ばね部６１ｃを介してボタン本体６１に連結され、ボタン本体６１の押下操作によってプッシュスイッチ９１を操作するための操作片６１ｂが設けられ、筐体３０には、ボタン本体６１の所定距離以上の動作を規制する規制部３０ｂが設けられている。これにより、ボタン本体６１を操作する力が直接的にプッシュスイッチ９１に伝わることなく、ばね部６１ｃの弾性力によってプッシュスイッチ９１を操作することが可能となる。これにより、プッシュスイッチ９１に所定以上の力が加わることによるプッシュスイッチ９１の破損や故障を防ぐことが可能となる。
【００２９】
＜第２実施形態＞
図６および図７は本発明の第２実施形態を示すものである。尚、前記実施形態と同様の構成部分には同一の符号を付して示す。
【００３０】
この音声モニタ装置は、ネジ孔３２ａの外周部には、傾斜面３２ｃが形成されておらず、上下方向および幅方向に延びる平面３２ｄが形成されている。また、ボタン支持部６２のネジ孔３２ａ側の面には、開口部３０ａ側に向かって斜め上方に延びる傾斜面６２ｃが設けられている。第２操作ボタン６０は、図６に示すように、開口部３０ａの縁部に当接するフランジ部６１ａの面と傾斜面６２ｃとのなす角度θ１が、開口部３０ａが設けられた筐体３０の面と平面３２ｄとのなす角度θ２よりも大きくなるように形成されている。
【００３１】
スピーカ保持部材８０と一体に設けられた第２操作ボタン６０は、図６に示すように、スピーカ保持部材８０のみを第２筐体３２に位置決めした状態において、最終的に固定される位置よりも第２筐体３２のやや前側に位置している。この状態で、ボタン支持部６２のネジ貫通孔６２ａにネジ６３を通してネジ孔３２ａに螺合させると、ネジ６３のネジ頭がボタン支持部６２に接触し、ネジ６３を螺合させるに従って、スピーカ保持部材８０に対してボタン支持部６２が連結部８１を中心に平面３２ｄ側に回転する。第２操作ボタン６０は、開口部３０ａの縁部に当接するフランジ部６１ａの面と傾斜面６２ｃとのなす角度は、開口部３０ａが設けられた筐体３０の面と平面３２ｄとのなす角度よりも大きくなるように形成されている。このため、平面３２ｄに対して傾斜面６２ｃを接触させると、図７に示すように、フランジ部６１ａが開口部３０ａの縁部に当接した状態で位置決めされる。
【００３２】
このように、本実施形態の電子機器の操作ボタン取付構造によれば、前記実施形態と同様に、第２操作ボタン６０の押下操作する方向と異なる方向にネジ６３を螺合させて第２操作ボタン６０を筐体３０に取り付ける場合においても筐体３０と第２操作ボタン６０との間に生じるビビリ音を防ぐことが可能となる。
【００３３】
また、開口部３０ａの縁部に当接するフランジ部６１ａの面と傾斜面６２ｃとのなす角度が、開口部３０ａが設けられた筐体３０の面と平面３２ｄとのなす角度よりも大きくなるように第２操作ボタン６０を形成することで、フランジ部６１ａを開口部３０ａの縁部に当接させるようにしている。これにより、ネジ６３をネジ孔３２ａに螺合させることによって、ボタン支持部６２を連結部８１を中心に回転させ、ボタン本体６１を開口部３０ａ側に移動させることができるので、フランジ部６１ａを確実に開口部３０ａの縁部に当接させることが可能となる。
【００３４】
尚、前記第１及び第２実施形態では、本発明の操作ボタンの取付構造および取付方法を音声モニタ装置に適用したものを示したが、音声モニタ装置に限られるものではない。例えば、トランシーバや携帯電話など、振動が発生する部品と操作ボタンとを有する電子機器であれば、本発明を適用可能である。
【００３５】
また、前記第１および第２実施形態では、第２操作ボタン６０をネジ６３によって筐体３０内に固定するようにしたものを示したが、ネジ６３を用いることなく例えばピン等の部材によって筐体３０内に第２操作ボタン６０を固定するようにしてもよい。
【００３６】
また、前記第１および第２実施形態では、操作片６１ｂを、弾性変形可能なばね部６１ｃを介してボタン本体６１と一体に形成したものを示したが、これに限られるものではない。操作片６１ｂを別部材とし、捩じりばねを介してボタン本体６１に取り付けるようにしてもよい。
【００３７】
また、前記第１および第２実施形態では、第２操作ボタン６０およびスピーカ保持部材８０を一体に形成したものを示したが、それぞれ別部材から形成して変形可能な連結部を介して連結するようにしてもよい。この場合、連結部は、変形するものであれば弾性変形するものに限られず、塑性変形するものでもよい。また、第２操作ボタン６０は、筐体３０内に取り付けられる部品であればスピーカ保持部材８０と異なる部品と一体に形成するようにしてもよい。
【符号の説明】
【００３８】
２０    移動機（電子機器）
３０    筐体
３０ａ  開口部
３０ｂ  規制部
３２    第２筐体
３２ａ  ネジ孔
３２ｂ  傾斜面
３２ｃ  ネジ孔
３２ｄ  平面
６０    第２操作ボタン（操作ボタン）
６１    ボタン本体
６１ａ  フランジ部
６１ｂ  操作片
６１ｃ  ばね部
６２    ボタン支持部
６２ａ  ネジ貫通孔
６２ｂ  接触面
６２ｃ  傾斜面
６３    ネジ（固定部材）
８０    スピーカ保持部材（他の部品）
８２    ネジ
９１    プッシュスイッチ
【図１】
2012252944.tif 000003
【図２】
2012252944.tif 000004
【図３】
2012252944.tif 000005
【図４】
2012252944.tif 000006
【図５】
2012252944.tif 000007
【図６】
2012252944.tif 000008
【図７】
2012252944.tif 000009